(57)【要約】【課題】給水路の途中の洗剤収納部において給水中に溶け出した洗剤を、下流側の給水路内で洗濯水中に確実に溶かし、給水路の末端の給水口から洗濯槽内に供給される洗濯水中に洗剤の溶け残りが混入する虞れを緩和する。【解決手段】洗濯機は、洗濯槽２内に洗濯水を供給する給水路５の途中に、洗剤収納部６及び給水ポンプ55を備える。接続口50に接続された給水源からの給水は、給水弁51、第１給水管52を経て給水ヘッド53から洗剤収納部６に供給されて洗剤Ｂを含む洗濯水となり、第２給水管54を経て給水ポンプ55に流れ込む。給水ポンプ55は、流れ込む洗濯水を、撹拌すると共に加圧して第３給水管56に送り出し、給水孔58及びシャワーヘッド59を経て洗濯槽２内に供給する。【選択図】図２
2011217919.tif 000002
【特許請求の範囲】
【請求項１】
給水源からの給水を洗濯槽内に供給する給水路の途中に洗剤収納部を備え、該洗剤収納部内に収納された洗剤を前記給水路内を流れる水中に溶かし、該給水路の末端に設けた給水口から前記洗濯槽内に洗濯水を供給するように構成してある洗濯機において、
前記洗剤収納部の下流側の前記給水路の途中に、該給水路内を流れる洗濯水を撹拌する撹拌手段を備えることを特徴とする洗濯機。
【請求項２】
前記撹拌手段は、前記給水路内を流れる水を撹拌しつつ加圧するポンプである請求項１に記載の洗濯機。
【請求項３】
前記洗濯槽内の洗濯水を洗濯運転中に循環させる循環水路を更に備え、前記ポンプは、前記循環水路内の循環水を加圧する循環ポンプを兼ねる請求項２に記載の洗濯機。
【請求項４】
前記給水口は、異なる位置に複数設けてあり、前記給水路は、前記撹拌手段の下流側で分岐され、複数の給水口の夫々に連結してある請求項１から請求項３のいずれか１つに記載の洗濯機。
【請求項５】
前記給水路の分岐部に設けてあり、該給水路内を流れる洗濯水を前記複数の給水口の夫々に選択的に振り分ける振り分け手段を備える請求項４に記載の洗濯機。
【発明の詳細な説明】
【技術分野】
【０００１】
本発明は、洗濯槽内に洗濯水を給水する給水路の途中に洗剤収納部を備える洗濯機に関する。
【背景技術】
【０００２】
近年広く普及しているドラム式の洗濯機は、有底円筒形の洗濯槽を、一側の開口を上向き乃至横向きとした姿勢で弾性支持し、この洗濯槽の内部に有底円筒形の回転ドラムを、一側の開口を洗濯槽の開口と同側に向けて同軸上での回転自在に支持した構成となっている。洗濯物は、洗濯槽の開口を経て回転ドラムの内部に投入され、洗濯槽の底部に溜まる洗濯水中に浸されて、回転ドラムの回転による持ち上げ及び落下を繰り返して洗濯され、その後の、すすぎ運転、脱水運転、及び乾燥運転を経て仕上げられる。
【０００３】
この種の洗濯機の多くは、洗濯槽内に洗濯水を供給するための給水路を備え、更に、該給水路の途中に洗剤収納部を備えている（例えば、特許文献１参照）。給水路は、洗濯槽内に開口する給水口を一端に、給水源との接続口を他端に夫々有し、接続口の近くに設けた給水弁を開放することにより、給水源からの給水を、前記給水口を経て洗濯槽内に供給するように構成してある。
【０００４】
このような給水路の途中に設けられた洗剤収納部は、洗濯の開始前、洗濯物の量に応じて適正量の洗剤を投入すべく使用される。この状態で洗濯運転を開始し、前述した給水を実施すると、洗剤収納槽の内部には、給水路内を流れる水が通流し、洗剤収納部内の洗剤が流水中に溶け出す。これにより、洗濯槽の内部には、適量の洗剤成分を含んだ洗濯水が供給され、該洗濯水が洗濯物を濡らすから、開始初期から良好な条件下にて洗濯を実施することが可能となる。
【先行技術文献】
【特許文献】
【０００５】
【特許文献１】特開２００８−４９００６号公報
【発明の概要】
【発明が解決しようとする課題】
【０００６】
さて、以上のような給水路に接続する給水源としては、一般的に公共水道が利用されており、給水路に設けられる洗剤収納部においては、その内部に収納された洗剤成分が逆流して公共水道に混入することを防止する対策が必要である。このような理由により、従来の洗濯機においては、洗剤収納部を給水路の上流側に接続された開放容器とし、給水口の上位置に設けて、給水源からの給水を、洗剤収納部内に流し入れ、上流側の給水源に対して分離された状態で一旦滞留させ、自然落下により給水口から送り出すようにしている。      
【０００７】
このような洗剤収納部を設けた従来の洗濯機において、洗剤収納部内の洗剤は、給水中に完全に溶け出すことが難しく、給水口を経て洗濯槽内に供給される洗濯水に、溶け残った洗剤が混入する虞れがある。洗剤が溶け残った場合、例えば、洗濯開始直後に所望の洗濯性能が得られず洗濯時間が長くなり、また一方では、溶け残った洗剤が洗濯槽の内壁に付着堆積し、洗濯槽の頻繁な清掃を強いられる等、種々の問題を発生することとなる。
【０００８】
従来においても、洗剤の溶け残りを防止するために、洗剤収納部の大きさ、流路形状を工夫する等の種々の対策がとられているが、十分な溶け残り防止効果が得られていないのが現状である。
【０００９】
本発明は斯かる事情に鑑みてなされたものであり、洗剤収納部において給水中に溶け出した洗剤を給水路内を流れる洗濯水中に確実に溶かし、洗濯槽内に供給される洗濯水中に洗剤の溶け残りが混入する虞れを緩和して、この混入に起因する種々の問題を解消し得る洗濯機を提供することを目的とする。
【課題を解決するための手段】
【００１０】
本発明に係る洗濯機は、給水源からの給水を洗濯槽内に供給する給水路の途中に洗剤収納部を備え、該洗剤収納部内に収納された洗剤を前記給水路内を流れる水中に溶かし、該給水路の末端に設けた給水口から前記洗濯槽内に洗濯水を供給するように構成してある洗濯機において、前記洗剤収納部の下流側の前記給水路の途中に、該給水路内を流れる洗濯水を撹拌する撹拌手段を備えることを特徴とする。
【００１１】
本発明においては、給水路の途中に設けた撹拌手段が、洗剤収納部内の洗剤を含んで給水路内を流れる洗濯水を洗濯槽への供給前に撹拌して洗剤の溶け込みを促進し、洗濯槽内に導入される洗濯水中に洗剤の溶け残りが含まれる虞れを緩和する。
【００１２】
また本発明に係る洗濯機は、前記撹拌手段が、前記給水路内を流れる水を撹拌しつつ加圧するポンプであることを特徴とする。
【００１３】
この発明においては、給水路の途中に設けたポンプが、給水路内を流れる洗濯水を、加圧することに伴って撹拌して洗濯槽内に送り込むから、給水路の構成及び配置に制約を受けることがない。
【００１４】
また本発明に係る洗濯機は、前記洗濯槽内の洗濯水を洗濯運転中に循環させる循環水路を更に備え、前記ポンプは、前記循環水路内の循環水を加圧する循環ポンプを兼ねることを特徴とする。
【００１５】
この発明においては、給水路内の洗濯水を撹拌及び加圧するポンプを、洗濯運転中に洗濯水を循環させる循環水路に設けられた循環ポンプと兼用し、撹拌専用のポンプを不要として、循環水路を含む給水路構成を簡素化する。
【００１６】
また本発明に係る洗濯機は、前記給水口が、異なる位置に複数設けてあり、前記給水路は、前記撹拌手段の下流側で分岐され、複数の給水口の夫々に連結してあることを特徴とする。
【００１７】
この発明においては、給水路内の洗濯水を洗濯槽内に送り込む給水口を複数設け、給水路を分岐して夫々の給水口から洗濯槽内に洗濯水を供給し、洗濯槽内の洗濯物を洗濯水により確実に濡らし、給水後の洗濯開始直後から良好な洗濯性能が得られるようにする。
【００１８】
また本発明に係る洗濯機は、前記給水路の分岐部に設けてあり、該給水路内を流れる洗濯水を前記複数の給水口の夫々に選択的に振り分ける振り分け手段を備えることを特徴とする。
【００１９】
この発明においては、振り分け手段により複数の給水口を選択的に使用し、洗濯水の供給位置を、例えば、洗濯物の濡れ具合、位置、量等の洗濯槽内の状態に応じて変更して、洗濯物を良好に濡らし、洗濯開始直後から良好な洗濯性能が得られるようにする。
【発明の効果】
【００２０】
本発明に係る洗濯機においては、洗濯槽内に洗濯水を供給する給水路の途中であって、洗剤収納部よりも下流側に、前記給水路内を流れる洗剤を含む洗濯水を撹拌する撹拌手段を設けたから、前記給水路の末端の給水口から洗濯槽内に供給される洗濯水に洗剤の溶け残りが含まれる虞れを軽減でき、給水後の洗濯運転において、開始直後から良好な洗濯性能を発揮し得るようになる等、洗濯槽内に供給される洗濯水中に洗剤の溶け残りが含まれることに起因する種々の問題を解消することが可能となる。
【図面の簡単な説明】
【００２１】
【図１】本発明に係る洗濯機の外観を略示する斜視図である。
【図２】本発明に係る洗濯機の内部構成を略示する縦断面図である。
【図３】本発明の実施の形態２に係る洗濯機の内部構成を略示する縦断面図である。
【図４】本発明に実施の形態３に係る洗濯機の内部構成を略示する縦断面図である。
【発明を実施するための形態】
【００２２】
以下本発明をその実施の形態を示す図面に基づいて詳述する。図１は、本発明に係る洗濯機の外観を略示する斜視図、図２は、本発明に係る洗濯機の内部構成を略示する縦断面図である。
【００２３】
図２に示すように本発明に係る洗濯機は、外装を構成する外箱１の内部に、洗濯槽２及び回転ドラム３を備えている。洗濯槽２は、一側に開口20を備える大径の有底円筒体であり、外箱１の底面に立設された複数本の支持脚21（１本のみ図示）により、水平面に対して前記開口20の側を上とし、軸心を傾けた傾斜姿勢を保って弾性支持されている。
【００２４】
外箱１の前面（図２の左側面）には、洗濯槽２の開口20を臨む位置に、前蓋10により開閉自在に洗濯物Ａの投入口11が開設されており、この投入口11と洗濯槽２の開口20との間は、ゴム等の弾性材料製のベローズ12により液密に封止されている。
【００２５】
洗濯槽２の内部には、回転ドラム３が同軸をなして支持されている。回転ドラム３は、洗濯槽２よりもやや小径の有底円筒体であり、一側には洗濯物Ａの投入のための開口30が開設されている。回転ドラム３の駆動源となるドラムモータ４は、洗濯槽２の底面の外側に固設してある。ドラムモータ４は、洗濯槽２の底板の中央を液密に貫通し、該洗濯槽２の内側に突出するモータ軸40を有している。回転ドラム３は、前記開口30を洗濯槽２の開口20の内側に臨ませ、ドラムモータ４のモータ軸40の突出端部に底部を連結して支持されており、前記ドラムモータ４の駆動により、洗濯槽２の内部にて回転するように構成されている。
【００２６】
回転ドラム３は、開口30の外側に周設された流体バランサ31を備えている。この流体バランサ31は、回転ドラム３の回転時に、これに伴う振動を吸収、緩和する作用をなす。また回転ドラム３の周壁には、図２に示すように、多数の小孔32が全面に亘って貫通形成されており、更に、回転ドラム３の周壁内面には、軸長方向に延びるバッフル33が、周方向に等配をなして複数突設されている。なお図２中には、多数の小孔32のうちの一部と、１つのバッフル33のみが図示されている。
【００２７】
図１に示すように、外箱１の前面には、前蓋10の近傍にドア開ボタン13が設けてある。また前蓋10には、該前蓋10の閉止時に押圧操作するための押圧部14が設けてある。前蓋10は、ドア開ボタン13の操作により開放され、また周縁部を把持して閉操作し、前記押圧部14を外側から押すことにより閉止される。外箱１の前面に設けた投入口11は、洗濯槽２及び回転ドラム３の開口20，30に臨ませてあり、投入口11から投入された洗濯物Ａは、前記開口20，30を経て回転ドラム３の内部に導入され、図２中に破線により示すように、傾斜支持された回転ドラム３の最下部近傍に堆積された状態で位置する。
【００２８】
以上の如く構成された洗濯機の洗濯運転は、外箱１前面の前蓋10により投入口11を開放して洗濯物Ａを投入し、該前蓋10を閉止した後、後述するように洗濯槽２及び回転ドラム３の内部に洗濯水を給水し、ドラムモータ４を駆動して回転ドラム３を回転せしめて実施される。回転ドラム３内に投入される洗濯物Ａは、該回転ドラム３の底部近傍に図２中に破線により示すように位置する。前述のように回転ドラム３の周壁には、多数の小孔32が貫通形成され、また回転ドラム３の内面には、複数のバッフル33が突設されているため、回転ドラム３の内部の洗濯物Ａは、前記小孔32を経て回転ドラム３内に流入する洗濯水中に浸され、前記バッフル33の作用による持ち上げ及び落下を繰り返し、回転ドラム３の内面に繰り返し叩き付けられることで洗濯される。
【００２９】
図１に示すように、外箱１前面の上部には、各種の操作のための操作キー及び各種の表示のための表示部を備える操作パネル15が設けてある。該操作パネル15は、これの内側に位置して外箱１の内部に設けた運転制御部に接続してあり、前述した洗濯運転、並びに、洗濯運転の終了後のすすぎ運転、脱水運転及び乾燥運転は、操作パネル15の操作に応じた運転制御部の動作により、個々に独立した運転、又は相互に関連した一連の運転として実行される。
【００３０】
本発明に係る洗濯機の特徴は、以上の如き洗濯運転の前に、洗濯槽２及び回転ドラム３の内部に洗濯水を給水するための給水路５の構成にある。図１、図２に示すように、外箱１の後部上面には、給水源との接続のための接続口50が設けてある。接続口50は、外箱１の内側に設けた給水弁51に接続されている。給水弁51は、複数の給水出口を有する多連形の電磁弁である。給水弁51の第１給水出口は、外箱１の上面に沿って前方に延びる第１給水管52を介して、外箱１の前上部内側に設けた給水ヘッド53に接続してある。
【００３１】
接続口50を給水源（水道）に接続し、給水弁51が第１給水出口に切り換えられた場合、接続口50に流れ込む給水源からの給水は、給水弁51及び第１給水管52を経て給水ヘッド53に供給され、図２中に矢符により示すように、該給水ヘッド53から下方に噴射される。
【００３２】
なお給水弁51の第２給水出口は、図示を省略した乾燥風路に接続してある。給水弁51が第２給水出口に切り換えられた場合、給水源からの給水は、乾燥風路内に供給され、乾燥風を冷却する冷却水として使用される。冷却水は、洗濯運転の終了後、すすぎ運転、及び脱水運転を経て実行される乾燥運転中において、回転ドラム３内から乾燥風路内に導出される乾燥風に接触して冷却し、該乾燥風の含有水分を凝縮液化させる作用をなす。この乾燥運転は、公知の手順で行われるものであり、乾燥風路の構成を含めて詳細な説明を省略する。給水弁51の切換えは、一連の運転の夫々の段階で運転制御部（図示を省略する）の動作によりなされる。
【００３３】
給水ヘッド53の下位置には、洗剤収納部６が設けてある。洗剤収納部６は、給水ヘッド53の下方に対向配置された受水パン60及び洗剤トレイ61を備えてなる。図１に示すように洗剤トレイ61は、外箱１の前上部外面に操作パネル15と並べて外部に露出する前板62を備えており、該洗剤トレイ61は、前板62を把持して前方に引くことにより、図示を省略したガイドに沿って外箱１の外部に引き出すことができる。
【００３４】
使用者は、洗剤トレイ61を引き出し、該洗剤トレイ61の上に洗剤Ｂを供給した後、該洗剤トレイ61を外箱１内に押し込む。これにより洗剤収納部６は、所定量の洗剤Ｂを収納した状態となる。外箱１内に押し込まれた洗剤トレイ61は、給水ヘッド53と受水パン61との間に位置し、前述したように給水ヘッド53から下方に噴射される給水は、受水パン61上の洗剤Ｂの上に降り注ぐ。
【００３５】
受水パン60は、洗剤トレイ61の下部全体を覆い得る大きさを有しており、その底面に開設された出口には、第２給水管54の一端が接続してある。給水ヘッド53からの給水は、洗剤トレイ61上の洗剤Ｂと混ざり合った洗濯水となって受水パン60上に落下し、該受水パン60上に滞留した後、第２給水管54内に送り出される。
【００３６】
以上のように洗剤収納部６においては、給水源からの給水を洗剤Ｂと混合した後、受水パン60上に一旦滞留させて送り出す。受水パン60に滞留する洗濯水は、給水ヘッド53と接触することはなく、該給水ヘッド53の上流側に接続された給水源に洗剤成分が逆流し、給水源として利用されている公共水道に混入することを防止することができる。
【００３７】
受水パン60に接続された第２給水管54は、後方に向けて延び、延長端にて屈曲されて洗濯槽２の後側で下方に向けて延びており、該第２給水管54の他端は、外箱１の底面に固設した給水ポンプ55の吸込側に接続してある。給水ポンプ55は、内部に回転する羽根車を備える遠心ポンプであり、上方に延びる吐出口には、第３給水管56の一端が接続してある。第３給水管56は、洗濯槽２の底面の外側に沿って上方に延び、前記ドラムモータ４のモータ軸40の外側端部に、ジョイント57を介して連結してある。モータ軸40は、図２中に破線により示すように、軸心部に貫通形成された給水孔58を備えており、洗濯槽２の内部底面に開口する給水孔58の端部は、給水口としてのシャワーヘッド59に接続してある。
【００３８】
給水ポンプ55は、洗濯前の給水時に運転制御部の動作により、給水弁51の第１給水出口への切り換えと同期して回転駆動される。給水ポンプ55の吸込側には、第２給水管54内に送り出された洗濯水が自然流下により供給されており、この洗濯水は、給水ポンプ55により加圧され、第３給水管56及び給水孔58を経てシャワーヘッド59に送り込まれ、該シャワーヘッド59から、図２中に矢符により示すように噴出し、回転ドラム３及び洗濯槽２内に給水される。洗濯槽２内に給水された洗濯水は、図２中にＷとして示すように、回転ドラム３内の洗濯物Ａを浸す程度に溜まり、この状態で回転ドラム３を回転することにより、前述した洗濯運転が実行される。
【００３９】
以上のように構成された本発明に係る洗濯機は、給水源からの給水を洗濯槽２内に供給する給水路５の途中、より詳しくは、洗剤収納部６の下流側の第２給水管54と第３給水管56との間に給水ポンプ55を備えている。該給水ポンプ55は、前述したように、回転する羽根車を有しており、第２給水管54を経て給水ポンプ55に送り込まれる洗濯水は、回転する羽根車の作用によって、前述の如く加圧されると共に撹拌される。
【００４０】
従って、第２給水管54内で洗濯水中に混入した状態にある洗剤Ｂは、給水ポンプ55内での撹拌により洗濯水中に十分に溶け込んだ状態で第３給水管56内に送り出され、シャワーヘッド59を経て洗濯槽２内に供給される。このように供給される洗濯水は、給水終了後に実行される洗濯運転の開始直後から良好な洗浄性能を示すから、洗濯時間の短縮を図ることができ、また、溶け残った洗剤が洗濯槽２の内壁に付着堆積する虞れを軽減し、洗濯槽２の頻繁な清掃を強いられることもない。
【００４１】
以上の実施の形態においては、洗剤収納部６の下流側の給水路５の途中に設けたポンプ（給水ポンプ55）を撹拌手段としている。給水ポンプ55は、給水路５内を流れる洗濯水を撹拌すると共に、該洗濯水を加圧するから、図２に示すように、洗濯槽２よりも低い外箱１の底面上に給水ポンプ55を固設し、洗剤収納部６の下流側の給水路５（第２給水管54及び第３給水管56）を、構成上の制約を受けずに自在に設定することが可能となる。
【００４２】
給水路５の途中に設けられる撹拌手段としては、例えば、給水路５内の流水の作用により回転する回転羽根等、ポンプ作用を有しない回転体を用いることができる。この場合、洗濯槽２内への給水は、洗剤収納部６からの自然流下によってなされるから、洗剤収納部６の下流側の給水路５に構成上の制約が生じる。
【００４３】
また洗濯槽２には、最下位置となる底板近傍の周面に導水管22が接続されており、この導水管22は、外箱１内側の前下部に配された筒形のフィルタケース23に接続されている。フィルタケース23の内部には、繊維屑等の異物を捕捉するリントフィルタ24が収容されている。フィルタケース23の下部は、排水弁25を介して外箱１の底面に沿って敷設された排水管26に接続されている。またフィルタケース23の後部には、循環ポンプ27が取付けてあり、該循環ポンプ27には、戻し管28の一端が接続されている。戻し管28は、洗濯槽２の前部に沿って上方に延長され、該洗濯槽２の前上部に接続されて、回転ドラム３の内側に臨ませてある。
【００４４】
洗濯槽２内に給水される洗濯水は、導水管22を経てフィルタケース23に導入され、該フィルタケース23の内部に充満する。循環ポンプ27は、給水後の洗濯運転中に連続的又は間欠的に駆動される。この駆動によりフィルタケース23内の洗濯水は、循環ポンプ27に吸い込まれて加圧され、戻し管28を経て洗濯槽２の上部に送水されて、該戻し管28の先端から回転ドラム３の内部の洗濯物Ａに降り注ぎ、洗濯効果を高めるべく作用する。フィルタケース23の内部に設けたリントフィルタ24は、以上のように循環する洗濯水中に含まれる繊維屑等の異物を捕捉、除去する作用をなす。
【００４５】
フィルタケース23の下部に設けられた排水弁25は、洗濯運転の終了後に開放される。この開放により洗濯槽２内部の洗濯水は、導水管22及びフィルタケース23を経て排水管26に排水される。この排水に際しても、洗濯水中に含まれる異物は、フィルタケース23内のリントフィルタ24に捕捉、除去されるから、排水管26を経て下水管に排出される虞れがなく環境負荷の軽減を図ることができる。
【００４６】
図３は、本発明の実施の形態２に係る洗濯機の内部構成を略示する縦断面図である。この実施の形態において、給水ポンプ55の吐出側に接続された第３給水管56は、洗濯槽２の下部に沿って前方に延長され、循環ポンプ27の吐出側に接続された戻し管28の中途に切換弁70を介して接続されている。
【００４７】
切換弁70は、２つの切換え位置を有している。切換弁70は、運転制御部からの指令に応じて切換え動作をなし、洗濯運転の開始前には、第１の切換え位置（給水位置）となり、洗濯運転中には、第２の切換え位置（循環位置）となるように構成してある。
【００４８】
切換弁70が給水位置に切換えられた場合、第３給水管56は、戻し管28の下流側に連通する。これにより、給水ポンプ55において前述の如く加圧及び撹拌された洗濯水は、第３給水管56及び戻し管28を経て洗濯槽２の前上部に送水され、該戻し管28の先端開口部から、図３中に矢符により示す如く噴出して、洗濯槽２及び回転ドラム３の内部に給水される。このように給水される洗濯水は、回転ドラム３の底部に堆積する洗濯物Ａに降りかかり、該洗濯物Ａを濡らしつつ洗濯槽２内に溜まる上、この洗濯水中には、適正量の洗剤Ｂが良好に溶け込んでいるから、給水後の洗濯運転においては、開始直後から良好な洗濯効果が得られ、洗濯運転の所要時間を短縮することができる。
【００４９】
一方、切換弁70が循環位置に切換えられた場合、戻し管28の上流側と下流側とが連通された状態となり、洗濯槽２内の洗濯水は、循環ポンプ27の動作により前述したように循環され、洗濯物Ａの洗濯効果を高めるべく作用する。図３に示す洗濯機の他の構成は、図２に示す洗濯機と同様であり、同一の構成要素に図２と同一の参照符号を付して構成及び動作の説明を省略する。
【００５０】
実施の形態２においては、洗濯運転中に洗濯水を循環させるために設けられた循環水路の一部を給水路５として利用しているから、給水路５の全体構成を簡素化することができる。
【００５１】
図４は、本発明の実施の形態３に係る洗濯機の内部構成を略示する縦断面図である。この実施の形態において、給水ポンプ55の吸込側には、第２給水管54と共に、フィルタケース23の後端部から延びる循環水管71が接続されている。また給水ポンプ55の吐出側に接続された第３給水管56の中途には、切換弁72を介して戻し管28が接続されている。
【００５２】
第３給水管56は、図１に示す実施の形態におけると同様に、洗濯槽２の底面外側に沿って上方に延び、モータ軸40に貫通形成された給水孔58にジョイント57を介して接続されている。また戻し管28は、図１及び図２に示す実施の形態におけると同様に、洗濯槽２の下部に沿って前方に延び、更に向きを変えて上方に延び、洗濯槽２の前上部に接続されて、回転ドラム３の内側に臨ませてある。
【００５３】
切換弁72は、２つの切換え位置を有している。切換弁72は、運転制御部からの指令に応じて切換え動作をなし、洗濯運転の開始前には、第１の切換え位置（給水位置）となり、洗濯運転中には、第２の切換え位置（循環位置）となる。
【００５４】
切換弁72が給水位置に切換えられた場合、第３給水管56は、上流側と下流側とが連通された状態となり、給水ポンプ55は、第２給水管54から流れ込む洗濯水を吸込み、加圧及び撹拌して第３給水管56に送り出す。この洗濯水は、給水孔58を経てシャワーヘッド59に送り込まれ、該シャワーヘッド59から、図４中に矢符により示すように噴出し、回転ドラム３内に給水される。
【００５５】
一方、切換弁72が循環位置に切換えられた場合、第３給水管56は戻し管28に連通する。給水ポンプ55は、フィルタケース23内の洗濯水を循環水管71を経て吸込み、加圧して第３給水管56内に送り出す。この洗濯水は、戻し管28内を流れて洗濯槽２の前上部に送られ、該戻し管28の先端開口部から回転ドラム３内の洗濯物Ａに降り注ぎ、その後、導水管22、フィルタケース23及び循環水管71を経て給水ポンプ55に吸い込まれて循環使用される。図４に示す洗濯機の他の構成は、図２及び図３に示す洗濯機と同様であり、同一の構成要素に図２、図３と同一の参照符号を付して構成及び動作の説明を省略する。
【００５６】
以上の如き実施の形態３においては、給水路５の途中に、洗濯水の撹拌及び加圧のために設けた給水ポンプ55が、洗濯運転中に洗濯液を循環させるための循環ポンプを兼ねるから、撹拌専用の手段を設ける必要がなく、構成の簡素化を図ることができる。
【００５７】
なお前記切換弁72は、給水時に第２の切換え位置とし、洗濯運転中に第１の切換え位置としてもよい。更に前記切換弁72は、第１、第２の切換え位置に加えて、給水ポンプ55の吐出側を第３給水管56及び戻し管28の双方に連通する第３の切換え位置を備えていてもよい。第３の切換え位置は、洗濯運転前の給水時、及び洗濯運転中の循環時の一方又は両方において実現することができる。
【００５８】
給水時に切換弁72を第３の切換え位置とした場合、給水ポンプ55において加圧及び撹拌された洗濯水は、第３給水管56及び戻し管28の両方に送り込まれ、回転ドラム３の底面中央のシャワーヘッド59から噴出すると共に、洗濯槽２の前上部の戻し管28の先端からも噴出し、回転ドラム３内に均等に分布した状態で給水される。これにより回転ドラム３内の洗濯物Ａは、洗剤が良好に溶け込んだ洗濯水により確実に濡れされ、洗濯開始初期から良好な洗濯性能を発揮することが可能となる。
【００５９】
洗濯運転中に切換弁72を第３の切換え位置とした場合、給水ポンプ55の動作により前述の如く循環する洗濯水は、回転ドラム３の底面中央のシャワーヘッド59、及び洗濯槽２の前上部の戻し管28の先端の両方から回転ドラム３内に戻る。このような洗濯水は、回転ドラム３内の洗濯物Ａに確実に降りかかり、洗濯性能をより高めることができる。
【００６０】
給水時において切換弁72は、前述した第１、第２及び第３の切換え位置に適宜切換えてもよい。この切換えは、例えば、回転ドラム３内の洗濯物Ａの濡れ具合、洗濯槽２内に溜まった洗濯水の水位等に応じた運転制御部の動作により実現することができる。
【００６１】
なお、以上の実施の形態においては、回転ドラム３及び洗濯槽２が、水平面に対して傾いた斜め姿勢に支持された洗濯機、所謂、斜めドラム式の洗濯機について説明したが、本発明は、洗濯槽２及び回転ドラム３が縦姿勢又は横姿勢に支持されたドラム式の洗濯機にも適用可能であることは言うまでもない。
【符号の説明】
【００６２】
２    洗濯槽
３    回転ドラム
５    給水路
６    洗剤収納部
22    導水管（循環水路）
28    戻し管（循環水路、給水路）
55    給水ポンプ（撹拌手段）
59    シャワーヘッド（給水口）
72    切換弁（振り分け手段）
【図１】
2011217919.tif 000003
【図２】
2011217919.tif 000004
【図３】
2011217919.tif 000005
【図４】
2011217919.tif 000006